(57)【要約】【課題】  テーブル上で使用する物の出し入れの面倒さを解消できるテーブル用昇降装置及びテーブルを提供すること。【解決手段】  このテーブルの天板１０２には昇降装置１００が設けられる。昇降装置１００は、トレイ板１、昇降機構２、これらを収納する筐体３及び操作部を備えてなる。昇降装置１００のトレイ板１には卓上調味料が載せられ、非使用時には天板１０２の下に収納され、蓋５で隠されている。使用時は、操作部により昇降機構２を上昇させ、蓋５と共にテーブル上に出す。そして、蓋５をユーザが取り、トレイ板１上の卓上調味料を使用する。そして、使用後、トレイ板１を下降させて天板１０２の下に収納する。【選択図】  図２
0003116902.tif 000002
【実用新案登録請求の範囲】
【請求項１】
天板に設けた穴の下方に位置し且つ収納対象物が置かれるトレイと、
このトレイを天板の下方から天板面まで昇降動作させる昇降機構と、天板の下側に設けられ且つ前記トレイ及び昇降機構を収納する筐体と、前記トレイの上方に配置される蓋と、
を備えたことを特徴とするテーブル用昇降装置。
【請求項２】
前記蓋は、上面を有する筒蓋であることを特徴とする請求項１に記載のテーブル用昇降装置。
【請求項３】
前記蓋は、天板に対して係止可能であり且つ底面が平面であると共に、断熱構造を備えたことを特徴とする請求項１に記載のテーブル用昇降装置。
【請求項４】
前記蓋は、天板に対して略平行に移動して開閉することを特徴とする請求項１に記載のテーブル用昇降装置。
【請求項５】
前記筐体に対して、内部を冷却する冷却器が設けられていることを特徴とする請求項１〜４のいずれか一つに記載のテーブル用昇降装置。
【請求項６】
請求項１〜５のいずれか一つに記載のテーブル用昇降装置を、天板の下方に設けたことを特徴とするテーブル。
【考案の詳細な説明】
【技術分野】
【０００１】
本考案は、卓上調味料の出し入れの面倒さを解消できるテーブル用昇降装置およびテーブルに関するものである。
【背景技術】
【０００２】
従来の一般家庭では、食事の際、必要な卓上調味料（塩、醤油、からし、胡椒など）を個別にテーブル上に持ってきて使用していた。また、各種の卓上調味料をセットした調味料カスターセットを持っている場合でも、使用していないときは、テーブルとは別の場所に置いておくほうが便利であるため、食事の際、前記カスターセットをその都度持ってくる必要があった。また、レストラン等では、各種卓上調味料またはそれらをセットしたカスターセットを、テーブルの片隅にあらかじめ配置しておくか、その都度持ってきていた。
【０００３】
このため、卓上調味料を食事のたびに配置しなければならず、食事のあとは、その都度、テーブル上に出した卓上調味料またはカスターセットを元の場所に戻さなくてはならないため、大変面倒であった。また、テーブル上に卓上調味料を置きっぱなしにすると、テーブル上を拭き掃除する際に邪魔であった。
【０００４】
また、実開平０５−００４９２０公報に記載のものは、テーブルの天板の下に設けた棚にトレイを載せることが構成である。しかしながら、テーブル側面から手で出し入れする必要があるので、当該側面にある程度の場所的余裕が必要であり、手で出し入れするので面倒であった。
【特許文献１】実開平０５-００４９２０号公報
【考案の開示】
【考案が解決しようとする課題】
【０００５】
そこで、この本考案は、上記卓上調味料等のテーブル上で使用する物の出し入れの面倒さを解消できるテーブル用昇降装置およびテーブルを提供することを目的とする。
【課題を解決するための手段】
【０００６】
上記目的を達成するため、この考案にかかるテーブル用昇降装置は、天板に設けた穴の下方に位置し且つ収納対象物が置かれるトレイと、このトレイを天板の下方から天板面まで昇降動作させる昇降機構と、天板の下側に設けられ且つ前記トレイ及び昇降機構を収納する筐体と、前記トレイの上方に配置される蓋と、を備えたことを特徴とする。
【０００７】
また、この考案にかかるテーブル用昇降装置は、上記考案において、前記蓋は、上面を有する筒蓋であることを特徴とする。
【０００８】
また、この考案にかかるテーブル用昇降装置は、上記考案において、前記蓋は、天板に対して係止可能であり且つ底面が平面であると共に、断熱構造を備えたことを特徴とする。
【０００９】
また、この考案にかかるテーブル用昇降装置は、上記考案において、前記蓋は、天板に対して略平行に移動して開閉することを特徴とする。
【００１０】
また、この考案にかかるテーブル用昇降装置は、上記考案において、前記筐体に対して、内部を冷却する冷却器が設けられていることを特徴とする。
【００１１】
また、この考案にかかるテーブルは、上記テーブル用昇降装置を、天板の下方に設けたことを特徴とする。
【考案の効果】
【００１２】
この考案によれば、トレイ上に予め卓上調味料などをセットしておき、必要に応じてテーブル上に出して用いることができるので、それらの出し入れの面倒さを解消できる。なお、卓上調味料以外の収納にも用いることができる。
【考案を実施するための最良の形態】
【００１３】
以下、この考案につき図面を参照しつつ詳細に説明する。なお、この実施例によりこの考案が限定されるものではない。また、以下に示す実施例の構成要素には、当業者が置換可能かつ容易なもの、或いは実質的同一のものが含まれる。
【００１４】
（実施の形態１）
図１は、この考案の実施の形態１に係るテーブル用昇降装置を示す斜視図である。図２は、図１に示したテーブル用昇降装置を示す要部断面図である。このテーブル１０１は、天板１０２と、４本の脚１０３と、昇降装置１００とを有する。天板１０２の下には、昇降装置１００のトレイ板１及び昇降機構２を収納する筐体３と、操作部５０とが配置されている。天板１０２の中央部分には、トレイ板１の上方に略同一形状および寸法であって、上面４を有する筒蓋５が入り得る、円形の穴６が設けられている。前記筒蓋５は、その上面４が天板１０２の上面と面一となり且つ下側は開放されている。また、筒蓋５の側面７は透明で、その内部を見ることができる。筒蓋５の上面４は、テーブルの天板１０２と同一の素材を用い、同一の表面処理を施す。
【００１５】
筒蓋５の透明な側面７は、アクリル樹脂やガラス等で製作する。この側面７は、昇降機構２の潤滑油等の機械汚れがトレイ板上又はトレイ板に載せた卓上調味料等に付着するのを防止できる。また、図示しないが、当該側面７には、格子状、柵状、網状の板を用いてもよいし、パンチング板などを設けてもよい。筒蓋５の側面７の筒径は、上面４の直径よりも小さく、両者固定状態で上面４の端縁４ａがフランジ状に外側に突出する。この部分がテーブル１０１の天板１０２の切り欠きで形成した嵌め込み部１０４に嵌り込むようになる。
【００１６】
前記筐体３は、上部が天板１０２下面に固定され、その中には、上下に移動する昇降機構２が設けられている。この昇降機構２は、トレイ板１の昇降時のガイド機能を有する複数のボールネジ８と、モーター９と、モーター９の回転力をネジ部８ａに伝える輪列１０とを有する。ボールネジ８のナット部８ｂは、前記トレイ板１の縁部近傍に固定される。前記トレイ板１には、天板１０２と同じ材料を用いても良い。輪列１０の詳細は、モーター９のトルクや回転数、昇降するトレイ板１の重量などを勘案して決定すればよい。なお、輪列１０に代えて、モーター９とネジ部８ａとの間に、プーリ及びベルトの組合せ、歯車及びタイミングベルトの組合せ、或いは、スプロケット及びチェンの組合せを設け、これらによりモーター９の回転を伝達するようにしてもよい（図示省略）。
【００１７】
また、筐体３の内側には最下位置を検出するためのリミットスイッチ１１が、天板１０２の内側（または筐体３の端縁が内側に曲げ成形されたときのフランジ部（図示省略））には最上位置を検出するためのリミットスイッチ１２が設けられている。一方、トレイ板１には、各リミットスイッチ１１，１２に対応するドグ１３が設けられている。リミットスイッチ１１，１２が安価でよいが、この他、磁気センサー、赤外線センサー等を用いてもよい。なお、同図中、軸受等の実設計上の構成要素は図示省略している。図１に示した操作部５０は、その内部にドライバ及び制御装置を備え、ユーザ側に昇降ボタン及び電源ボタンが設けられている。符号１０５は、卓上調味料にかぶせる半球状のカバーである。
【００１８】
図３は、この考案のテーブル用昇降装置１００の動作状態を示す説明図である。具体的には、トレイ板１を上昇させた状態を示す。まず、ユーザがテーブル１０１の端部下側に設けている操作部５０の電源ボタンを押すことで電源が入る。続いて、昇降ボタンを押すことで、前記モーターが回転し、輪列１０を介してネジ部８ａを回転させる。ネジ部８ａと螺合するナット部８ｂは、当該ネジ部８ａの回転により上昇し、トレイ板１を持ち上げる。トレイ板１の端部に設けたドグ１３が上側のリミットスイッチ１２に当ると、リミットスイッチ１２の出力信号は、操作部５０の制御装置に送られる。この信号に基づき、制御装置は、モーター９の回転を停止する。
【００１９】
このトレイ板１の上昇状態で、トレイ板１は、天板１０２の下面に当って止まっており、筒蓋５はテーブル上面から突出している。この筒蓋５はユーザが手で取ることができる。そのとき、ユーザは、筒蓋５の突出した上面端縁４ａに手をかけて持ち上げればよい。なお、筒蓋５の側面７の下端位置を固定するため、トレイ板１の上面に浅い凹部を設けておくのが好ましい。ユーザは、トレイ板１を持ち上げることで、当該トレイ板１上に置いていた卓上調味料等をテーブル上で使うことができる。別の場所から卓上調味料を持ってくる必要もないし、セットする必要もない。また、トレイ板１上に載せることができるのは、卓上調味料に限定されない。例えば、カテラリー、布巾、コップ、皿、楊枝等でもよい。
【００２０】
一方、トレイ板１を下降させる場合、操作部５０の昇降ボタンをもう一度押すことで、制御装置に命令が出され、ドライバがモーター９を駆動する。モーター９の回転は、輪列１０経由でボールネジ８に伝達され、トレイ板１が下降する。そして、トレイ板１が初期位置に戻ると、ドグ１３が下部に設けたリミットスイッチ１１に当り、その出力信号に基づいてモーター９が停止する。図２は、トレイ板１の下降状態（初期位置）を示している。
【００２１】
以上、このテーブル用昇降装置１００は、卓上調味料を用いるとき、ユーザは、操作ボタン一つでこれらをテーブル上に出して使うことができ、且つ、片付けるときもボタン一つで行うことができる。このため、卓上調味料の配置や片付けに起因した面倒さがなくなる。特に、この考案に係るテーブル用昇降装置１００は、レストラン等の頻繁にテーブル上で卓上調味料が用いられる環境で有用である。例えば、食堂やレストランにおいては、テーブル１０１が広く使えるし、卓上調味料が常にテーブル１０１の下に収納されているため、お客様に調味料を要求されることが無く、ウエイターまたはウエイトレスの労働の軽減になる。
【００２２】
また、図示しないが、穴６の端縁からボールネジ８に対して穴６の中心側に向かって略垂直に筒状の蛇腹を設けてもよい。このようにすれば、昇降時に昇降機構２が見えないようにでき、且つ昇降機構２の潤滑油等の機械汚れがトレイ板１上又はトレイ板１に載せた卓上調味料等に付着するのを防止できる。さらに、筒蓋５の側面７に穴があるときや、柵や格子状になっているときでも、トレイ板１上のものが汚れない。
【００２３】
（実施の形態２）
図４は、この考案の実施の形態２に係るテーブル用昇降装置を示す要部断面図である。このテーブル用昇降装置２００は、実施の形態１に係るものと略同一の構成であるが、主に蓋筒の代わりに円板状蓋２０１を用いた点が異なる。実施の形態１と同じ構成は説明を省略し、同一構成要素には同一符号を付する。
【００２４】
円板状蓋２０１は、その下面に、円形の穴６に嵌り込むリング状の凸部２０２が設けられている。また、この凸部２０２の直径は、円板状蓋２０１の直径より小さく、当該円板状蓋２０１の端縁は、凸部２０２の外側に突出する。この突出した端縁２０１ａが天板１０２の切り欠き形状の嵌め込み部１０４に嵌り込む。この構成では、円板状蓋２０１は、リフト板１の昇降と連動していないので、使用する際は、ユーザが当該円板状蓋２０１を取り外してから昇降動作を行うようにする。また、円板状蓋２０１を取りやすくするため、一部に指が入る穴を設けるのが好ましい。
【００２５】
なお、図４に示した例では、リフト上にトースターＴを設置した。この場合、通常はトースターＴの上面は平らであるから、そのまま昇降させると、当該トースターＴの上面Ｔｔが円板状蓋２０１を押し上げる。このため、使用時に円板状蓋２０１を取り外さなくてもよい。特に、円板状蓋２０１の下面に、耐熱性のある板を張っておくことで、トースター等の発熱性の器具に接触した状態でも上面が熱くならない。さらに、円板状蓋２０１は、断熱性の高い材料で構成することが望ましい。また、円板状蓋２０１に断熱性を与えるため、中空構造としてもよい。また、筐体３内に熱がこもらないように、筐体３自体にスリットを設けて排熱するようにしても良い。また、ファンを設けるようにしても良い（いずれも図示省略）。
【００２６】
なお、この実施の形態２に係るテーブル用昇降装置２００の動作は、上記円板状蓋２０１の部分を除いて、実施の形態１と同じであるから説明を省略する。なお、トレイ板１に載せるものは、トースターＴに限らず、ロースター、電子レンジ、ＩＨ調理器、カセットコンロ、煙吸引器、空気浄機等でもよい。
【００２７】
この考案は特に一般家庭で有用である。例えば、朝食の際にトースターなどを使用する場合、トースターをその都度出し入れすることが不要であり、或いは、トースターを置いている場所まで行かずに済む。このため、特に共働きの家庭では、朝の貴重な時間を節約できる。また、一般家庭で、テーブル上で鍋物などをするとき、カセットコンロがすでにテーブル下にあるから、持ってくる手間、跡片付けの手間が省ける。
【００２８】
（実施の形態３）
図５は、この考案の実施の形態３に係るテーブル用昇降装置を示す要部断面図である。このテーブル用昇降装置３００は、トレイ板１でカスターセットＣを昇降する場合の例であり、モーター９の駆動力の伝達機構としてプーリ３０１及びベルト３０２を用いている。具体的には、モーター９の回転軸及びボールネジ８のネジ部８ａにプーリ３０１をそれぞれ設け、このプーリ３０１に伝達用のゴム製のベルト３０２を掛け渡す。ベルト伝動する場合は、好ましくは、タイミングベルトと歯付きのプーリを用い、両側のネジ部８ａの回転が同じになるようにする。
【００２９】
また、このテーブル用昇降装置３００は、冷蔵機能を有する。筐体３の内側には、冷却器として、断熱材３０３と、当該断熱材３０３のさらに内側の面沿って蛇行した冷却管３０４とが設けられている。この冷却管３０４には、冷却水が供給される。この冷却管３０４は、筐体外部で供水管３０５、排水管３０６と接続されている。この供給管３０５及び排水管３０６は、筐体３内を循環した水を冷やす冷却ユニット３０７に接続されている。この冷却ユニット３０７は、当該テーブル用昇降装置３００のみならず、他のテーブル用昇降装置３００にも接続し、複数台で共通化することができる。
【００３０】
また、筐体３内にペルチェ素子を取り付け、内部を直接冷却するようにしてもよい。このようにすれば、電源に接続するだけで冷却できるので、施工に便利である（図示省略）。筐体３内を冷却することができれば、内部の卓上調味料の保存状態を良好に維持できる。また、冷却して保存する必要があるものを、この昇降装置内に保存することができる。例えば、喫茶店のテーブルの場合、ミルク、レモン、水などを収納することができる。さらに、実施の形態１、２、４に開示のテーブル用昇降装置に同様の冷却機能を持たせるようにしてもよい。
【００３１】
（実施の形態４）
図６は、この考案の実施の形態４に係るテーブル用昇降装置を示す断面図である。図７は、この昇降装置を備えたテーブルの上面図、図８は、側面図である。このテーブル用昇降装置４００は、天板１０２の端部近傍に設けられ且つテーブルの天板１０２と面一となっている蓋４０１が天板１０２と略並行してスライドする点に特徴がある。その他の構成は、実施の形態１に係るものと同じであり、同一構成要素には同一符号を付し、その説明を省略する。
【００３２】
このスライドする蓋４０１は、方形の穴４０２と同一寸法を有する。天板１０２の内部には、当該蓋４０１が収納される空間４０３が形成されており、この空間４０３は穴４０２の一方向側面から一旦斜め下方に形成され、続いて天板１０２に平行に形成されている。穴４０２を開くとき、蓋４０１は、後述する開閉機構４０４により斜め方向にずれ、天板１０２と平行形成された前記空間４０３に収納される。また、当該蓋４０１は、前記空間４０３の当該短辺部が接する面に設けたレール（図６では省略）にガイドされて移動する。
【００３３】
蓋４０１は、開閉機構４０４によりスライドする。この開閉機構４０４は、駆動用のモーター４０５と、リンク機構４０６とから構成される。リンク機構４０６は、モーター４０５の回転運動を最終的に直線運動に変換するものであれば、具体的な構成はどのようなものでも良い。図９に、リンク機構の一例を示す。このリンク機構４０６は、モーター４０５の回転軸に取り付けた減速機４０７と、この減速機４０７の出力軸にその一端が設けられたアーム４０８と、このアーム４０８の他端に設けた突起部４０９と、蓋４０１の底面長手方向（開閉移動方向に略垂直方向）に形成した溝４１０と、から構成される。また、蓋４０１は、レール４１１に沿って移動する。
【００３４】
蓋４０１を開ける場合、モーター４０５が回転すると、その回転が減速機４０７により減速され、出力軸に設けたアーム４０８が回転する。アーム４０８の回転により、他端に設けた突起４０９が蓋底面の溝４１０内を動くと共に、当該溝４１０に掛かる突起４０９により蓋４０１が引っ張られる。これにより、蓋４０１が、レール４１１に沿って移動する。モーター４０５は、蓋４０１が完全に開いたときに停止する。蓋４０１の開閉は、所定位置に設けた各種センサーにより検出し、その出力信号に基づいてモーター４０５の駆動制御をもって行う。蓋開閉のスイッチ及び制御装置は、前記操作部５０に設ける。
【００３５】
また、蓋４０１は、図示したようなモーター４０５及びリンク機構４０６ではなく、電動又は油圧シリンダーにより開閉するようにしても良い。また、蓋４０１を引き戸のような構造にして手動で開閉するようにしてもよい（いずれも図示省略）。さらに、図１０に示すように、蓋の一端縁に蝶板４５１を設けて開閉するようにしてもよい。
【００３６】
なお、上記実施の形態では、食卓用テーブルの昇降装置として考案を開示したが、当該構成は、それ以外のテーブルでも使用可能である。例えば、会議室のテーブル、事務用のテーブルなどにも応用できる。会議室のテーブルであれば、筆記用具やお茶セット等を入れておけば便利であるし、事務用テーブルであれば書類や貴重品を収納しても良い。
【図面の簡単な説明】
【００３７】
【図１】この考案の実施の形態１に係るテーブル用昇降装置を示す斜視図である。
【図２】図１に示したテーブル用昇降装置を示す要部断面図である。
【図３】この考案のテーブル用昇降装置の動作状態を示す説明図である。
【図４】この考案の実施の形態２に係るテーブル用昇降装置を示す要部断面図である。
【図５】この考案の実施の形態３に係るテーブル用昇降装置を示す要部断面図である。
【図６】この考案の実施の形態４に係るテーブル用昇降装置を示す断面図である。
【図７】この昇降装置を備えたテーブルの上面図である。
【図８】この昇降装置を備えたテーブルの上面図である。
【図９】リンク機構の一例を示す説明図である。
【図１０】蓋の開閉構造の一例を示す断面図である。
【符号の説明】
【００３８】
１００  昇降装置
１  トレイ板
２  昇降機構
３  筐体
５０  操作部
１０１  テーブル
１０２  天板
【図１】
0003116902.tif 000003
【図２】
0003116902.tif 000004
【図３】
0003116902.tif 000005
【図４】
0003116902.tif 000006
【図５】
0003116902.tif 000007
【図６】
0003116902.tif 000008
【図７】
0003116902.tif 000009
【図８】
0003116902.tif 000010
【図９】
0003116902.tif 000011
【図１０】
0003116902.tif 000012
【手続補正書】
【提出日】平成17年9月26日(2005.9.26)
【手続補正１】
【補正対象書類名】図面
【補正対象項目名】図２
【補正方法】変更
【補正の内容】
【図２】
0003116902.tif 000013